(57)【特許請求の範囲】
【請求項１】
開閉可能なシャッタを具備し硬貨を受け入れる硬貨受入口と、前記受け入れた硬貨を収容する硬貨収納部と、施錠および開錠可能な扉を配した硬貨取出し口とを備え、収容した硬貨を前記硬貨取出し口から取り出す硬貨回収庫であって、
下部に、取っ手用の窪みを備え、前記取っ手用の窪みを持って傾斜させて前記収容した硬貨を前記硬貨取出し口から取り出せるようにしたことを特徴とする硬貨回収庫。
【請求項２】
前記硬貨取出し口は、前面に備え、それぞれ独立して施錠および開錠可能な扉および小扉を配するようにしたことを特徴とする請求項１記載の硬貨回収庫。
【請求項３】
前記小扉は、取り外しが可能な小扉、回転支点を有し上開き若しくは下開きの小扉、または上下にスライドして開閉する小扉としたことを特徴とする請求項２記載の硬貨回収庫。
【請求項４】
前記硬貨取出し口は、前面に備え、施錠および開錠可能で上下にスライドして開く扉を配するようにしたことを特徴とする請求項１記載の硬貨回収庫。
【請求項５】
前記硬貨取出し口は、前面に備え、上端部に回転支点を有し施錠および開錠可能な扉を備え、
前記硬貨収納部は、略中央部分に回転支点を有し硬貨回収庫の筐体と独立して前後面方向に回動可能としたことを特徴とする請求項１記載の硬貨回収庫。
【請求項６】
前記硬貨取出し口は、前面に備え、前面下部に回転支点を有し一定の開き角度で固定される硬貨取出しガイドを取付けた施錠および開錠可能な扉を配したことを特徴とする請求項１記載の硬貨回収庫。
【請求項７】
前記硬貨取出し口は、前面に備え、施錠および開錠可能な扉と、当該扉を覆うように前面下部の回転支点により前記扉と独立して回動できる硬貨取出しガイドを配したことを特徴とする請求項１記載の硬貨回収庫。
【請求項８】
前記硬貨取出し口は、下面に備え、施錠および開錠可能で手動でスライドさせて開閉できる取出し口シャッタを配するようにしたことを特徴とする請求項１記載の硬貨回収庫。
【請求項９】
請求項１ないし請求項８いずれか記載の硬貨回収庫を搭載した硬貨処理装置。
【発明の詳細な説明】
【技術分野】
【０００１】
本発明は、金融機関等に設置され硬貨を取扱う硬貨処理装置に搭載する硬貨回収庫の構造に関するものである。
【背景技術】
【０００２】
金融機関等に設置され硬貨を取扱う硬貨処理装置には、入金等された硬貨を収納して回収できるように硬貨回収庫が搭載されている。図７は、この従来の硬貨回収庫１の外観斜視図である。
【０００３】
同図に示したように、従来の硬貨回収庫１０１は、その上部に設けられ硬貨を受け入れる硬貨受入口１０４と、前面側に設けられ硬貨を取出す硬貨取出し口１０２と、硬貨回収庫１０１を持ち運ぶときに係員等が持つ上部取っ手１０６と、周囲を平坦な板で蓋う硬貨収納部１０７を備える。
【０００４】
そして、硬貨取出し口１０２は、扉１０３によって封鎖され、硬貨受入口１０４は受入口シャッタ１０５によって封鎖できるようになっている。
【０００５】
扉１０３を開錠すると硬貨取出し口１０２が開放され、硬貨収納部１０７に収納された硬貨を取り出すことができるようになっている。例えば、硬貨収納部１０７に集積された硬貨は、硬貨回収庫１０１を傾けたり、手で直接硬貨をすくったりして取出し、取り出した硬貨は、別の容器や計数機に入れられる。
【０００６】
以上のような硬貨回収庫１０１の硬貨取出し口１０２は、硬貨を取り出しやすいように、できるだけ大きくしている（例えば、特許文献１参照）。
【先行技術文献】
【特許文献】
【０００７】
【特許文献１】特開平０７−１４６９６６号公報
【発明の概要】
【発明が解決しようとする課題】
【０００８】
しかしながら、上記従来の硬貨処理装置の硬貨回収庫１０１では、すべての硬貨を移し替えるために手で硬貨をかき出し、手が汚れて不衛生になるという問題があった。さらに、収納した硬貨が多い場合などでは、扉１０３を開けた際に硬貨がこぼれてしまったり、硬貨取出し口１０２を大きくしているため硬貨の落下位置が安定せず、小さな容器に入れる場合に狙いが定まらず、こぼれてしまうという問題があった。
【課題を解決するための手段】
【０００９】
本発明は、前述の課題を解決するために次の構成を採用する。すなわち、開閉可能なシャッタを具備し硬貨を受け入れる硬貨受入口と、前記受け入れた硬貨を収容する硬貨収納部と、施錠および開錠可能な扉を配した硬貨取出し口とを備え、収容した硬貨を前記硬貨取出し口から取り出す硬貨回収庫であって、下部に、取っ手用の窪みを備え、前記取っ手用の窪みを持って傾斜させて前記収容した硬貨を前記硬貨取出し口から取り出せるようにした。
【００１０】
前述の課題を解決するために、さらに、前記硬貨取出し口は、前面に備え、それぞれ独立して施錠および開錠可能な扉および小扉を配するようにした。
【発明の効果】
【００１１】
本発明の自動取引装置によれば、以上のように構成したので、収容した硬貨をこぼすことなく、衛生的かつ短時間に移し替えることができる。
【図面の簡単な説明】
【００１２】
【図１】実施例１の硬貨処理装置の硬貨回収庫の構成および動作説明図である。
【図２】実施例２の硬貨処理装置の硬貨回収庫の構成および動作説明図である。
【図３】実施例３の硬貨処理装置の硬貨回収庫の構成および動作説明図である。
【図４】実施例４の硬貨処理装置の硬貨回収庫の構成および動作説明図である。
【図５】実施例５の硬貨処理装置の硬貨回収庫の構成および動作説明図である。
【図６】実施例６の硬貨処理装置の硬貨回収庫の構成および動作説明図である。
【図７】従来の硬貨処理装置の硬貨回収庫の外観斜視図である。
【発明を実施するための形態】
【００１３】
以下、本発明に係わる実施の形態例を、図面を用いて説明する。図面に共通する要素には同一の符号を付す。
【００１４】
なお、以下の説明では、金融機関等に設置され硬貨を取扱う硬貨処理装置を例として説明するが、ゲームセンタ等に設置され、コインなどを取扱うコイン処理装置などにも本発明を適用することができる。
【実施例１】
【００１５】
（構成）
図１は、実施例１の硬貨回収庫１の構成を示した側面図であり、同図（ａ）が回収庫封鎖状態であり、同図（ｂ）が回収庫小扉開状態を示している。
【００１６】
同図に示したように、実施例１の硬貨回収庫１は、上部に設け硬貨を受け入れる硬貨受入口４と、前面側に備え硬貨を取出す硬貨取出し口２と、硬貨回収庫１を持ち運ぶときに持つ上部取っ手６と、硬貨回収庫１の下部を持ち上げるための取っ手用の窪み９と、周囲を平坦な板で覆われた硬貨収納部７と、収納硬貨のフル状態を検知するためにフル検知センサ８と、を備える。
【００１７】
前述の硬貨受入口４には受入口シャッタ５が取付けられており、硬貨処理装置に硬貨回収庫１をセットするときや取り外すときにスライドして開閉するようになっている。なお、硬貨受入口４および受入口シャッタ５は上部ではなく側面に設けるようにしてもよい。
【００１８】
また、実施例１の硬貨回収庫１の硬貨取出し口１２には、扉１３と小扉１０が取り付けられており、扉１３と小扉１０は、それぞれに図示しない錠が付いており、それぞれ独立して施錠および開錠ができるようになっている。
【００１９】
なお、小扉１０は、取り外しが可能な構成としてもよいし、回転支点を有し図１（ｂ）に示したように矢印Ａのように開く上側が開く上開きの扉や、図示していないが下側が開く下開きの扉としてもよいし、スライドして開閉するスライド式の扉としてもよい。
【００２０】
（動作）
以上の構成により実施例１の硬貨回収庫１は以下のように動作する。この動作を前出図１を用いて以下詳細に説明する。
【００２１】
まず、硬貨処理装置に硬貨が投入されると、図示していない硬貨繰り出し部、識別部、一時収納庫を経て硬貨回収庫１に搬送される。
【００２２】
搬送されてきた硬貨は硬貨受入口４を通過して硬貨収納部７に集積され、フル検知センサ８まで硬貨が集積されると、フル状態となった旨を係員に通知する。
【００２３】
当該通知を受けた係員は、硬貨回収庫１を硬貨処理装置から外し、内部に集積した硬貨を別の容器へ移し替えたり、計数機の容器に投入して移し替えたりする。
【００２４】
実施例１の硬貨回収庫１では、上記硬貨の移し替えは、移し替える容器が比較的に小さいときは、小扉１０を開錠し、取っ手用窪み９を持ち上げて硬貨回収庫１を傾けると、硬貨は小扉１０によって開けられた空間から外部に排出される。
【００２５】
一方、移し替える容器が十分に大きい場合は、さらに扉１３も開錠して開いて、取っ手用窪み９を持ち上げて硬貨回収庫１を傾けて排出することにより、短時間に移し替えることができる。
【００２６】
（実施例１の効果）
以上説明したように、実施例１の硬貨回収庫１によれば、下部に取っ手用の窪みを設けたので、前記取っ手用の窪みを持ち上げて傾けることによりすべての硬貨を容易に移し替えることができるので、手で硬貨を触れることなく衛生的に硬貨を移し替えることができ、また、硬貨取出し口に、施錠および開錠可能な扉および小扉を設けるようにしたので、移し替える容器の大きさに応じて小扉またはさらに扉を開いて硬貨をこぼすことなく、短時間に移し替えることができる。
【実施例２】
【００２７】
（構成）
図２は、実施例２の硬貨回収庫１の構成を示した側面図であり、同図（ａ）が回収庫封鎖状態であり、同図（ｂ）が回収庫小扉開状態を示している。
【００２８】
同図に示したように、実施例２の硬貨回収庫１では、前面側に備えられ硬貨を取り出す硬貨取出し口２２の扉２３が矢印Ｂのようにスライドして硬貨取出し口２２が開くようになっている。その他の構成は、実施例１の構成と同様であるので簡略化のためにその詳細な説明は省略する。
【００２９】
（動作）
以上の構成により、実施例２の硬貨回収庫１は以下のように動作する。この動作を前出図２を用いて以下詳細に説明する。
【００３０】
なお、硬貨処理装置に投入された硬貨の硬貨回収庫１への搬送、搬送された硬貨の硬貨収納部への集積の動作は実施例１の硬貨回収庫の場合と同様であるので、簡略化のためにその詳細な説明は省略する。
【００３１】
実施例２の硬貨回収庫１では、硬貨の移し替えは、移し替える容器が比較的に小さいときは、扉２３を開錠し、図２（ｂ）矢印Ｂのように、硬貨がこぼれない位置までスライドさせ、取っ手用窪み９を持ち上げて硬貨回収庫１を傾けると、硬貨は扉２３のスライドよって開けられた空間から外部に排出される。
【００３２】
また、移し替える容器が十分に大きい場合は、さらに扉２３をスライドさせて全開にし、取っ手用窪み９を持ち上げて硬貨回収庫１を傾けて移すことにより、短時間に別の容器に移し替えることができる。
【００３３】
（実施例２の効果）
以上のように、実施例２の硬貨回収庫１によれば、下部に取っ手用の窪みを備え、硬貨取出し口は、スライドして開く施錠および開錠可能な扉を備え、移し替える容器の大きさに応じてスライド量を調整して開く量を自由に調整できるようにしたので、さらに硬貨をこぼすことなく、衛生的かつ短時間に移し替えることができる。
【実施例３】
【００３４】
（構成）
図３は、実施例３の硬貨回収庫１の構成を示した側面図であり、同図（ａ）が回収庫封鎖状態であり、同図（ｂ）が回収庫小扉開状態を示している。
【００３５】
同図に示したように、実施例３の硬貨回収庫１では、硬貨収納部３７は硬貨回収庫１とは独立した容器３２を有し、この容器３２が同図（ｂ）矢印Ｄのように前面側に回動できるように略中央部分に回転支点３０ａを備えている。
【００３６】
また、硬貨取出し口３２の扉３３は、硬貨回収庫１の上部に回転支点３０ｂを有し、開錠することにより外側に回動できる構成となっている。このような構成とすることにより硬貨をこぼすことなく内部の状態を確認することができる。その他の構成は、実施例１の構成と同様であるので簡略化のためにその詳細な説明は省略する。
【００３７】
（動作）
以上の構成により、実施例３の硬貨回収庫１は以下のように動作する。この動作を前出図３を用いて以下詳細に説明する。
【００３８】
なお、硬貨処理装置に投入された硬貨の硬貨回収庫１への搬送、搬送された硬貨の硬貨収納部への集積の動作は実施例１の硬貨回収庫の場合と同様であるので、簡略化のためにその詳細な説明は省略する。
【００３９】
実施例３の硬貨回収庫１では、硬貨の移し替えは、扉３３を先に開錠した後、取っ手用窪み９を上に持ち上げるようにして硬貨回収庫１を傾けると、容器３２が回転支点３０ａを支点として矢印Ｄのように倒れ、硬貨を別の容器３５に移し替えることができる。
【００４０】
（実施例３の効果）
以上説明したように、実施例３の硬貨回収庫１によれば、下部に取っ手用の窪みを備え、硬貨取出し口は上端部に回転支点を有し施錠および開錠可能な扉を備え、硬貨収納部は略中央部分に回転支点を有し硬貨回収庫の筐体と独立して前後面方向に回動可能としたので、硬貨をこぼすことなく、衛生的かつ短時間に移し替えることができるとともに、硬貨をこぼさずに内部の状態を確認することもできる。
【実施例４】
【００４１】
（構成）
図４は、実施例４の硬貨回収庫１の構成を示した側面図であり、同図（ａ）が回収庫封鎖状態であり、同図（ｂ）が回収庫小扉開状態を示している。
【００４２】
同図に示したように、実施例４の硬貨回収庫１の硬貨取出し口４２には、硬貨回収庫１の前面下部に回転支点４０を有する扉４３が設けられており、扉４３には硬貨取出しガイド４８が取り付けられている。
【００４３】
そして、扉４３を開くときは一定の開き角度で固定されるようになっており、扉４３を閉めているときは硬貨取出しガイド４８が硬貨回収庫１の内部に収納されるようになっている。以上のような構成とすることにより硬貨をこぼすことなく内部の状態を確認することができる。その他の構成は、実施例１の構成と同様であるので簡略化のためにその詳細な説明は省略する。
【００４４】
（動作）
以上の構成により、実施例４の硬貨回収庫１は以下のように動作する。この動作を前出図４を用いて以下詳細に説明する。
【００４５】
なお、硬貨処理装置に投入された硬貨の硬貨回収庫１への搬送、搬送された硬貨の硬貨収納部への集積の動作は実施例１の硬貨回収庫の場合と同様であるので、簡略化のためにその詳細な説明は省略する。
【００４６】
実施例４の硬貨回収庫１では、硬貨の移し替えは、扉４３を先に開錠し、回転支点４０を支点として扉４３および硬貨取出しガイド４８を矢印Ｅのように倒して固定される角度まで開いた後、取っ手用窪み９を上に持ち上げるようにして硬貨回収庫１を傾けると、硬貨が硬貨取出しガイド４８によりガイドされながら排出され、別の容器３５に移し替えられる。
【００４７】
（実施例４の効果）
以上説明したように、実施例４の硬貨回収庫１によれば、下部に取っ手用の窪みを備え、硬貨取出し口は、硬貨回収庫の前面下部に回転支点を有し一定の開き角度で固定される硬貨取出しガイドを取り付けた施錠および開錠可能な扉を備えたので、小さな容器へ移し替えるときでも硬貨をこぼすことなく、衛生的かつ短時間に移し替えることができるとともに、硬貨をこぼさずに内部の状態を確認することもできる。
【実施例５】
【００４８】
（構成）
図５は、実施例５の硬貨回収庫１の構成を示した側面図であり、同図（ａ）が回収庫封鎖状態であり、同図（ｂ）が回収庫小扉開状態を示している。
【００４９】
同図に示したように、実施例５の硬貨回収庫１の硬貨取出し口５２には、扉５３を覆うように硬貨回収庫１の前面下部に回転支点５０ａを有する硬貨取出しガイド５８が取り付けられている。扉５３と硬貨取出しガイド５８は独立して動くようになっており、扉５３は上部に回転支点５０ｂを有し、硬貨取出しガイド５８は硬貨回収庫１の筐体の外側に配置される。その他の構成は、実施例１の構成と同様であるので簡略化のためにその詳細な説明は省略する。
【００５０】
（動作）
以上の構成により、実施例５の硬貨回収庫１は以下のように動作する。この動作を前出図５を用いて以下詳細に説明する。
【００５１】
なお、硬貨処理装置に投入された硬貨の硬貨回収庫１への搬送、搬送された硬貨の硬貨収納部への集積の動作は実施例１の硬貨回収庫の場合と同様であるので、簡略化のためにその詳細な説明は省略する。
【００５２】
実施例５の硬貨回収庫１では、硬貨の移し替えは、回転支点５０ａを支点として硬貨取出しガイド５８を矢印Ｆのように倒して固定される角度まで開いた後、扉５３を開錠して上部回転支点５０ｂを支点として外側に回動できるようにし、取っ手用窪み９を上に持ち上げるようにして硬貨回収庫１を傾けると、硬貨が硬貨取出しガイド５８によりガイドされながら排出され、別の容器３５に移し替えられる。なお、通常時は、硬貨取出しガイド５８は同図（ａ）のように閉じて収容する。
【００５３】
（実施例５の効果）
以上説明したように、実施例５の硬貨回収庫１によれば、下部に取っ手用の窪みを備え、硬貨取出し口は、上部に回転支点を有し施錠および開錠可能な扉と当該扉を覆うように硬貨回収庫の前面下部の回転支点により扉と独立して回動できる硬貨取出しガイドを備え、硬貨取出しガイドを先に開いてから扉を開錠して硬貨取出しガイドに沿って硬貨を移し替えるようにしたので、小さな容器へ移し替えるときでも硬貨をこぼすことなく、衛生的かつ短時間に移し替えることができる。
【実施例６】
【００５４】
（構成）
図６は、実施例６の硬貨回収庫１の構成を示した側面図であり、同図（ａ）が回収庫封鎖状態であり、同図（ｂ）が回収庫小扉開状態を示している。
【００５５】
同図に示したように、実施例６の硬貨回収庫１の硬貨取出し口６２は、硬貨回収庫１の下部に設けられ、施錠および開錠可能で手動でスライド可能な取出し口シャッタ６１が取り付けられている。なお、取出し口シャッタ６１の錠は、硬貨回収庫１の前面に設ける構成にするとなおよい。その他の構成は、実施例１の構成と同様であるので簡略化のためにその詳細な説明は省略する。
【００５６】
（動作）
以上の構成により、実施例６の硬貨回収庫１は以下のように動作する。この動作を前出図６を用いて以下詳細に説明する。
【００５７】
なお、硬貨処理装置に投入された硬貨の硬貨回収庫１への搬送、搬送された硬貨の硬貨収納部への集積の動作は実施例１の硬貨回収庫の場合と同様であるので、簡略化のためにその詳細な説明は省略する。
【００５８】
実施例６の硬貨回収庫１では、硬貨の移し替えは、別の容器３５を硬貨回収庫１の下に配置し、取出し口シャッタ６１を開錠して手動で矢印Ｇのようにスライドさせて硬貨取出し口６２を開放して硬貨を別の容器３５に移し替える。このとき、移し替える容器の大きさに応じて取出し口シャッタ６１のスライド量を調整すれば、小さな容器にはこぼさずに、大きな容器には短時間に移し替えることができる。
【００５９】
（実施例６の効果）
以上説明したように、実施例６の硬貨回収庫１によれば、下部に取っ手用の窪みを備え、硬貨取出し口は、硬貨回収庫の下部に施錠および開錠可能で手動でスライドさせて開閉できる取出し口シャッタを備え、硬貨取出し口に別の容器を近付けて置けるようにしたので、小さな容器へ移し替えるときでも硬貨をこぼすことなく、衛生的に短時間に移し替えることができる。
【産業上の利用可能性】
【００６０】
以上述べたように、本発明は、回収庫を備え硬貨等を取扱う硬貨処理装置などに広く用いることができる。
【符号の説明】
【００６１】
１    硬貨回収庫
５    受入口シャッタ
６    上部取っ手
７、３７、４７、５７    硬貨収納部
８    フル検知センサ
９    取っ手用の窪み
１０  小扉
１２、２２、３２、４２、５２、６２  硬貨取出し口
１３、２３、３３、４３、５３  扉
３０ａ、３０ｂ、４０、５０ａ、５０ｂ  回転支点
３２  容器
３５  別の容器
４８、５８  硬貨取出しガイド
６１  取出し口シャッタ
【図１】
0005514039.tif 000002
【図２】
0005514039.tif 000003
【図３】
0005514039.tif 000004
【図４】
0005514039.tif 000005
【図５】
0005514039.tif 000006
【図６】
0005514039.tif 000007
【図７】
0005514039.tif 000008